(57)【要約】【課題】カテーテル先端部のループ状部分における軸方向に沿った位置ずれを抑えることが可能な電極カテーテルを提供する。【解決手段】電極カテーテル１は、可撓性を有するカテーテル本体２１と、ループ状部分を有するカテーテル先端部２２と、このカテーテル先端部２２に設けられた複数の電極（２２１，２２２）と、カテーテル本体２１内の先端付近からカテーテル先端部２２内に挿通され、形状記憶特性を有するコアワイヤ４２とを備えている。このコアワイヤ４２は、長軸Ａｍａおよび短軸Ａｍｉを有する異方性形状からなる断面を有する直線部４２ａと、カテーテル先端部２２のループ状部分内に配置されたループ部４２ｃと、直線部４２ａとループ部４２ｃとを繋ぐ部分であると共に異方性形状からなる断面を有する中継部４２ｂとを有している。直線部４２ａおよび中継部４２ｂにおいてそれぞれ、異方性形状における長軸Ａｍａの延在面Ｓｍａが平面となっている。【選択図】図５
2016093226.tif 000002
【特許請求の範囲】
【請求項１】
可撓性を有するカテーテル本体と、
前記カテーテル本体の先端側に設けられ、前記カテーテル本体の延在方向と非平行なループ面を形成するループ状部分を有するカテーテル先端部と、
前記カテーテル先端部に設けられた複数の電極と、
前記カテーテル本体内の先端付近から前記カテーテル先端部内に挿通され、形状記憶特性を有するコアワイヤと
を備え、
前記コアワイヤは、
前記カテーテル本体内に配置され、長軸および短軸を有する異方性形状からなる断面を有する直線部と、
前記カテーテル先端部の前記ループ状部分内に配置されたループ部と、
前記カテーテル先端部内に配置され、前記直線部と前記ループ部とを繋ぐ部分であると共に前記異方性形状からなる断面を有する中継部と
を有し、
前記直線部および前記中継部においてそれぞれ、前記異方性形状における前記長軸の延在面が、平面となっている
電極カテーテル。
【請求項２】
前記直線部から前記中継部に亘って、前記長軸の延在面が略単一の平面となっている
請求項１に記載の電極カテーテル。
【請求項３】
前記ループ部も前記異方性形状からなる断面を有し、
前記ループ部における前記異方性形状の前記長軸が、前記ループ面と略直交している
請求項１または請求項２に記載の電極カテーテル。
【請求項４】
前記ループ面が、前記カテーテル本体の延在方向と略直交している
請求項１ないし請求項３のいずれか１項に記載の電極カテーテル。
【請求項５】
前記異方性形状が略矩形状である
請求項１ないし請求項４のいずれか１項に記載の電極カテーテル。
【請求項６】
前記略矩形状において、角部が面取りされている
請求項５に記載の電極カテーテル。
【請求項７】
前記異方性形状が楕円形状である
請求項１ないし請求項４のいずれか１項に記載の電極カテーテル。
【請求項８】
前記コアワイヤが、前記ループ状部分内における内周側に配置されている
請求項１ないし請求項７のいずれか１項に記載の電極カテーテル。
【請求項９】
前記複数の電極に対して電気的に接続され、前記カテーテル先端部内から前記カテーテル本体内の基端側へ向けて挿通された導線を更に備えた
請求項１ないし請求項８のいずれか１項に記載の電極カテーテル。
【発明の詳細な説明】
【技術分野】
【０００１】
本発明は、例えば不整脈の検査（診断）や治療等に用いられる電極カテーテルに関する。
【背景技術】
【０００２】
電極カテーテルは、血管を通して体内（例えば心臓の内部）に挿入され、不整脈の検査や治療等に用いられるものである。このような電極カテーテルでは一般に、体内に挿入されたカテーテルチューブの先端（遠位端）付近の形状が、体外に配置される基端（近位端，後端，手元側）に装着された操作部の操作に応じて、片方向あるいは両方向に変化（偏向，湾曲、撓む）するようになっている。
【０００３】
このような電極カテーテルにおいて、心臓の肺静脈などの部位における電位を測定するため、ループ状に形成されたカテーテル先端部を有するものが提案されている（例えば、特許文献１参照）。カテーテル先端部がループ状に形成されていることにより、血管の内周部分において、周方向に沿った複数個所の電位を一括して（同時に）測定することが可能となる。
【先行技術文献】
【特許文献】
【０００４】
【特許文献１】特開２００３−１１１７４０号公報
【発明の概要】
【発明が解決しようとする課題】
【０００５】
ところで、このようなループ状のカテーテル先端部を利用して血管の内周部分の電位を測定する場合、カテーテル先端部が血管内に挿入された際に、ループ状部分での軸方向（カテーテル本体の軸方向）に沿った位置ずれ（変位）が生じるおそれがある。そのような軸方向の位置ずれが発生すると、上記した複数個所の電位の測定位置にもずれが生じ、正確な電位測定に支障をきたすことになる。したがって、そのような位置ずれを抑える手法の提案が望まれる。
【０００６】
本発明はかかる問題点に鑑みてなされたもので、その目的は、カテーテル先端部のループ状部分における軸方向に沿った位置ずれを抑えることが可能な電極カテーテルを提供することにある。
【課題を解決するための手段】
【０００７】
本発明の電極カテーテルは、可撓性を有するカテーテル本体と、このカテーテル本体の先端側に設けられ、カテーテル本体の延在方向と非平行なループ面を形成するループ状部分を有するカテーテル先端部と、カテーテル先端部に設けられた複数の電極と、カテーテル本体内の先端付近からカテーテル先端部内に挿通され、形状記憶特性を有するコアワイヤとを備えたものである。このコアワイヤは、カテーテル本体内に配置され、長軸および短軸を有する異方性形状からなる断面を有する直線部と、カテーテル先端部のループ状部分内に配置されたループ部と、カテーテル先端部内に配置され、直線部とループ部とを繋ぐ部分であると共に上記異方性形状からなる断面を有する中継部とを有している。直線部および中継部においてそれぞれ、上記異方性形状における長軸の延在面が平面となっている。
【０００８】
本発明の電極カテーテルでは、コアワイヤにおける直線部および中継部においてそれぞれ、上記異方性形状における長軸の延在面が平面となっている。これにより、コアワイヤの断面が、例えば、等方性形状（円形状等）である場合や、逆に異方性形状における短軸の延在面が平面となっている場合等と比べ、コアワイヤにおけるループ部が、カテーテル本体（コアワイヤの直線部）の軸方向に沿って変位（変動）しにくくなる。
【０００９】
本発明の電極カテーテルでは、直線部から中継部に亘って、上記長軸の延在面が略単一の平面となっているのが望ましい。このようにした場合、コアワイヤにおけるループ部が、カテーテル本体の軸方向に沿って更に変位しにくくなる。また、上記ループ部も上記異方性形状からなる断面を有するようにすると共に、このループ部における上記異方性形状の長軸が上記ループ面と略直交するのが望ましい。このようにした場合、カテーテル先端部が血管内に挿入された際に、ループ部におけるループ径が変化し易くなる（ループ径の収縮変化が容易となる）。このため、血管の内周部分において、周方向に沿った複数個所の電位が測定し易くなる。
【００１０】
本発明の電極カテーテルでは、上記異方性形状が略矩形状であるのが望ましい。このようにした場合、コアワイヤにおけるループ部が、カテーテル本体の軸方向に沿って更に変位しにくくなる。また、この場合において、上記略矩形状における角部が面取りされているのが更に望ましい。このようにした場合、コアワイヤ周囲の部材（導線等）への悪影響（角部に起因した導線の損傷等）が回避され易くなる（望ましくは回避される）。
【００１１】
本発明の電極カテーテルでは、上記異方性形状を楕円形状（角部を有しない異方性形状）としてもよい。このようにした場合も、上記したコアワイヤ周囲の部材への悪影響が回避され易くなる（望ましくは回避される）。
【００１２】
本発明の電極カテーテルでは、上記コアワイヤを、上記ループ状部分内における内周側に配置するのが望ましい。
【００１３】
本発明の電極カテーテルでは、例えば、上記ループ面がカテーテル本体の延在方向と略直交するようにしてもよい。また、例えば、上記複数の電極に対して電気的に接続されると共にカテーテル先端部内からカテーテル本体内の基端側へ向けて挿通された導線を更に設けてもよい。
【発明の効果】
【００１４】
本発明の電極カテーテルによれば、コアワイヤにおける直線部および中継部においてそれぞれ、上記異方性形状における長軸の延在面を平面としたので、コアワイヤにおけるループ部を、カテーテル本体の軸方向に沿って変位しにくくすることができる。よって、カテーテル先端部のループ状部分における軸方向に沿った位置ずれを抑えることが可能となる。
【図面の簡単な説明】
【００１５】
【図１】本発明の一実施の形態に係る電極カテーテルの概略構成例を表す模式斜視図である。
【図２】図１に示したカテーテル先端部の詳細構成例を表す模式斜視図である。
【図３】図２に示したカテーテル先端部の側面構成例を表す模式図である。
【図４】図３に示したカテーテル先端部の断面構成例を表す模式図である。
【図５】図２〜図４に示したコアワイヤの詳細構成例を表す模式斜視図である。
【図６】図５に示したコアワイヤの側面構成例を表す模式図である。
【図７】図４〜図６に示したコアワイヤの断面構成例を表す模式図である。
【図８】図１に示した電極カテーテルの使用態様の一例を表す模式図である。
【図９】図１に示した電極カテーテルの使用態様の他の例を表す模式図である。
【図１０】比較例に係るコアワイヤの構成を表す模式図である。
【図１１Ａ】変形例１に係るコアワイヤの断面構成例を表す模式図である。
【図１１Ｂ】変形例２に係るコアワイヤの断面構成例を表す模式図である。
【発明を実施するための形態】
【００１６】
以下、本発明の実施の形態について、図面を参照して詳細に説明する。なお、説明は以下の順序で行う。
１．実施の形態（コアワイヤの断面が、角部が面取りされた略矩形状である例）
２．変形例
変形例１（コアワイヤの断面が、角部が面取りされていない略矩形状である例）
変形例２（コアワイヤの断面が楕円形状である例）
３．その他の変形例
【００１７】
＜実施の形態＞
［構成］
図１は、本発明の一実施の形態に係る電極カテーテル（電極カテーテル１）の概略構成例を、模式的に斜視図で表したものである。電極カテーテル１は、血管を通して体内（例えば心臓の内部）に挿入され、不整脈の検査や治療等に用いられるものである。この電極カテーテル１は、長尺状のカテーテル本体２１（カテーテルチューブ，カテーテルシャフト）と、このカテーテル本体２１の先端側に接続されたカテーテル先端部２２と、カテーテル本体２１の基端側に装着されたハンドル３とを備えている。
【００１８】
（カテーテル本体２１）
カテーテル本体２１は、可撓性を有する管状構造（中空のチューブ状部材）からなり、自身の軸方向（Ｚ軸方向）に沿って延伸する形状となっている。具体的には、カテーテル本体２１の軸方向の長さは、ハンドル３の軸方向（Ｚ軸方向）の長さと比べて数倍〜数十倍程度に長くなっている。なお、このカテーテル本体２１は、その軸方向に向かって同じ特性のチューブで構成されていてもよいが、比較的可撓性に優れた先端部分と、この先端部分に対して軸方向に一体に形成されると共に先端部分よりも比較的に剛性のある基端部分とを有するようにするのが好ましい。
【００１９】
カテーテル本体２１はまた、自身の軸方向に沿って延在するように内部に１つのルーメン（内孔，細孔，貫通孔）が形成された、いわゆるシングルルーメン構造、あるいは複数（例えば４つ）のルーメンが形成された、いわゆるマルチルーメン構造を有している。なお、カテーテル本体２１の内部において、シングルルーメン構造からなる領域とマルチルーメン構造からなる領域との双方が設けられていてもよい。このようなカテーテル本体２１におけるルーメンには、各種の細線（後述する操作用ワイヤ４０や導線４１等）がそれぞれ、互いに電気的に絶縁された状態で挿通されている。
【００２０】
このうち、操作用ワイヤ４０（引張りワイヤ）は、例えば図１中に破線で示したように、カテーテル本体２１内を延伸してハンドル３内へと引き出されており、後述するカテーテル本体２１の先端部分の偏向動作の際に用いられるものである。換言すると、操作用ワイヤ４０は、カテーテル本体２１の先端付近を撓ませるために用いられるものである（例えば図１中の矢印ｄ２参照）。この操作用ワイヤ４０における先端は、カテーテル本体２１内の先端付近において、アンカーおよびはんだ等によって固定されている。また、操作用ワイヤ４０の基端側は、上記したように、カテーテル本体２１内からハンドル３内へと延伸され、ハンドル３内で留め具（図示せず）により固定されている。この操作用ワイヤ４０は、例えばＳＵＳ（ステンレス鋼）やＮｉＴｉ（ニッケルチタン）等の超弾性金属材料により構成されており、その径は約１００〜５００μｍ程度（例えば２００μｍ）である。ただし、必ずしも金属材料で構成されていなくともよく、例えば高強度の非導電性ワイヤ等で構成されていてもよい。
【００２１】
このようなカテーテル本体２１は、例えば、ポリオレフィン、ポリアミド、ポリエーテルポリアミド、ポリウレタン等の合成樹脂により構成されている。また、カテーテル本体２１の軸方向の長さは、約５００〜１２００ｍｍ程度（例えば１１７０ｍｍ）であり、カテーテル本体２１の外径（Ｘ−Ｙ断面の外径）は、約０．６〜３ｍｍ程度（例えば２．０ｍｍ）である。
【００２２】
（ハンドル３）
ハンドル３は、図１に示したように、自身の軸方向（Ｚ軸方向）に沿って延伸する形状の把持部３１（ハンドル本体，グリップ）と、この把持部３１に対して軸方向にスライド可能に装着された操作部３２（ノブ）とを有している。
【００２３】
把持部３１は、電極カテーテル１の使用時に操作者（医師）が掴む（握る）部分である。この把持部３１全体の軸方向の長さは、操作者が片手で把持できる程度となっているのが好ましいが、特に限定されない。このような把持部３１は、例えば、ポリカーボネート、アクリロニトリル−ブタジエン−スチレン共重合体（ＡＢＳ）等の合成樹脂により構成されている。
【００２４】
操作部３２は、カテーテル本体２１の先端付近を偏向（湾曲）させる際の操作である、偏向操作（首振り操作）を行うための部材である。具体的には、ここでは図１中の矢印ｄ１で示したように、把持部３１の軸方向に沿って基端側にスライドさせる操作が可能となっている。
【００２５】
（カテーテル先端部２２）
カテーテル先端部２２は、前述したようにカテーテル本体２１の先端側に接続されており、図１に示したように、略円形状をなすように形成されたループ状部分を有している。また、このカテーテル先端部２２は、カテーテル本体２１における１または複数のルーメンに連通したルーメンを有する、可撓性の管状構造からなる。
【００２６】
図２〜図４はそれぞれ、カテーテル先端部２２の詳細構成例を模式図で表したものである。具体的には、図２は、カテーテル先端部２２の斜視構成例を拡大して表したものであり、図３は、カテーテル先端部２２の側面構成例（電極カテーテル１全体としての先端側から見たＸ−Ｙ側面構成例）を拡大して表したものである。また、図４は、図３中に示したＩＩ−ＩＩ線に沿った矢視断面構成例（Ｙ−Ｚ断面構成例）を拡大して表したものである。
【００２７】
図２および図３に示したように、このカテーテル先端部２２は、カテーテル本体２１の延在方向（軸方向：この例ではＺ軸方向）と非平行なループ面Ｓ（仮想面）を形成するループ状部分を有している。具体的には、この例では、ループ面Ｓがカテーテル本体２１の延在方向と略直交している（例えば直交している）。
【００２８】
このループ状部分は、この例では図２および図３に示したように、ループ径Ｒを有する略円形状（実質的な円形状）となっている。具体的には、このループ状部分は、この例では、Ｚ軸の正方向に沿って見たときに反時計回り（左回り）となるよう、逆に言うと、Ｚ軸の負方向に沿って見たときに時計回り（右回り）となるように（図３参照）、巻回されている。
【００２９】
ただし、このループ状部分は、厳密に言うと平坦な円形状の閉じたループでなく、後述する先端電極２２２を最先端とする、若干の螺旋形状のループとなっている。すなわち、本明細書において、「円形状」や「楕円形状」と言うときは、厳密には螺旋形状であるものを包含しているものとする。
【００３０】
このようなカテーテル先端部２２は、図２〜図４に示したように、前述した可撓性の管状構造としての絶縁性チューブ２２０により構成されている。この絶縁性チューブ２２０は、例えば、ポリウレタンまたはＰＥＢＡＸ（ポリエーテルブロックアミド）のような生体許容性の樹脂材料により構成されている。また、カテーテル先端部２２の外径は、約１．０〜２．０ｍｍ程度（例えば１．３ｍｍ）であり、上記したループ径Ｒは、約１０〜３０ｍｍ程度（例えば２０ｍｍ）である。
【００３１】
また、カテーテル先端部２２には、図２および図３に示したように、複数の電極（この例では、９個のリング状電極２２１および１個の先端電極２２２）が所定の間隔をおいて配置されている。具体的には、リング状電極２２１は、カテーテル本体２１の外周面上に固定配置される一方、先端電極２２２は、カテーテル本体２１の最先端に固定配置されている。なお、リング状電極２２１の数としては、この例で挙げたもの（９個）に限定されるわけではない。具体的には、リング状電極２２１の数は、例えば６〜２０個であることが好ましく、更に好ましくは、例えば８〜１２個である。
【００３２】
これらの電極は、カテーテル先端部２２内に挿通された複数の導線４１（例えば図４参照）に対して、個別に電気的に接続されている。そして、これらの導線４１がそれぞれ、カテーテル先端部２２内からカテーテル本体２１内へ向けて挿通されることで、リング状電極２２１および先端電極２２２がそれぞれ、ハンドル３の内部と電気的に接続されるようになっている。なお、このような導線４１は、例えば銅（Ｃｕ）等の金属材料により構成されていると共に絶縁性の樹脂で被覆されており、その径は約５０〜２００μｍ程度（例えば１００μｍ）である。
【００３３】
このようなリング状電極２２１および先端電極２２２はそれぞれ、例えば、アルミニウム（Ａｌ），銅，ＳＵＳ，金（Ａｕ），白金（Ｐｔ）等の、電気伝導性の良好な金属材料により構成されている。なお、電極カテーテル１の使用時におけるＸ線に対する造影性を良好にするためには、白金またはその合金により構成されていることが好ましい。また、これらのリング状電極２２１および先端電極２２２の外径は、特には限定されないが、上記したカテーテル先端部２２の外径と同程度であることが望ましい。
【００３４】
ここで、図２〜図４に示したように、カテーテル先端部２２内には、形状記憶特性を有するコアワイヤ４２が挿通されている。詳細には、図２に示したように、カテーテル本体２１内の先端付近からカテーテル先端部２２内に亘って、ループ状部分の形状（ループ形状）を記憶しているコアワイヤ４２（ループコア）が挿通されている。また、このコアワイヤ４２は、この例では図３および図４に示したように、カテーテル先端部２２のループ状部分内において、その内周側（複数の導線４１よりも内周側）に配置されている。このような形状記憶特性を有するコアワイヤ４２では、外部から力が加えられることによって容易に変形（例えば直線状に変形）するが、その力が取り除かれると元の形状（ループ形状）に戻るようになっている。
【００３５】
このようなコアワイヤ４２は、例えば、Ｎｉ−Ｔｉ合金等の形状記憶合金により構成されている。なお、このＮｉ−Ｔｉ合金におけるＮｉとＴｉとの比率は、Ｎｉ：Ｔｉ＝５４：４６〜５７：４３であることが好ましい。また、好ましいＮｉ−Ｔｉ合金としては、例えばニチノールが挙げられる。
【００３６】
図５〜図７は、コアワイヤ４２の詳細構成例を模式的に表したものである。具体的には、図５は、コアワイヤ４２の斜視構成例を表したものであり、図６は、コアワイヤ４２の側面構成例（Ｘ−Ｙ側面構成例）を表したものである。また、図７は、コアワイヤ４２の断面構成例（コアワイヤ４２の延在方向に対する直交面における断面構成例）を拡大して表したものである。
【００３７】
図５および図６に示したように、コアワイヤ４２は、カテーテル本体２１における先端付近の形状（直線状）およびカテーテル先端部２２の形状（ループ形状）をそれぞれ倣った形状を有している。具体的には、コアワイヤ４２は、この例ではカテーテル本体２１の先端付近からカテーテル先端部２２へと向けて、直線部４２ａ、中継部４２ｂ（移行部，連結部）およびループ部４２ｃをこの順に有している。
【００３８】
直線部４２ａは、カテーテル本体２１内に配置されており、このカテーテル本体２１の延在方向（この例ではＺ軸方向）に沿った直線状となっている。ループ部４２ｃは、カテーテル先端部２１におけるループ状部分内に配置されており、このループ状部分に倣ったループ形状（略円形状）となっている。中継部４２ｂは、カテーテル先端部２１内に配置されており、直線部４２ａとループ部４２ｃとを繋ぐ（連結する）部分である。言い換えると、この中継部４２ｃは、直線部４２ａ（直線状）からループ部４２ｃ（ループ形状）へと移行する形状の部分となっている。
【００３９】
また、図７に示したように、この例では、コアワイヤ４２における直線部４２ａ、中継部４２ｂおよびループ部４２ｃがいずれも、長軸Ａｍａおよび短軸Ａｍｉを有する異方性形状からなる断面を有している。具体的には、本実施の形態のコアワイヤ４２では、この断面における異方性形状が、長軸Ａｍａおよび短軸Ａｍｉを有する略矩形状となっている。更に、この略矩形状のコアワイヤ４２では、その角部（この例では四隅）が面取りされており（図７中の符号Ｐ１１〜Ｐ１４参照）、四隅部分が若干丸みを帯びた形状となっている。
【００４０】
なお、このようなコアワイヤ４２において、上記した長軸Ａｍａの長さは、約１００〜１０００μｍ程度（例えば５００μｍ）であり、短軸Ａｍｉの長さは、約５０〜５００μｍ程度（例えば２５０μｍ）である。また、これらの長軸Ａｍａと短軸Ａｍｉとのアスペクト比（長軸Ａｍａの長さ：短軸Ａｍｉの長さ）は、約１．５：１〜約５：１（例えば２：１）である。
【００４１】
ここで、本実施の形態のコアワイヤ４２では、図５および図６に示したように、直線部４２ａおよび中継部４２ｂにおいてそれぞれ、上記した断面の異方性形状（この例では略矩形状）における長軸Ａｍａの延在面Ｓｍａ（仮想面）が、平面となっている。また、特に本実施の形態では、直線部４２ａから中継部４２ｂに亘って、この長軸Ａｍａの延在面Ｓｍａが、略単一の平面（望ましくは、この例のように単一の平面）となっている。具体的には、これら直線部４２ａおよび中継部４２ｂにおけるいずれの部分（全領域）においても、断面における長軸方向Ｄｍａが、Ｙ−Ｚ平面内のいずれかの方向を向いている。すなわち、この例では、直線部４２ａにおける断面の長軸方向ＤｍａはＹ軸方向を向いており、中継部４２ｂにおける断面の長軸方向Ｄｍａは、Ｙ軸とＺ軸との間の方向（斜め方向）を向いている。このように、コアワイヤ４２における直線部４２ａから中継部４２ｂへと至る領域では、略矩形状の断面が、ねじれていない形状（コアワイヤ４２の延伸方向の周りを長軸Ａｍａおよび短軸Ａｍｉが回転していない、非ねじれ形状）となっている。
【００４２】
また、このコアワイヤ４２におけるループ部４２ｃでは、図５および図６に示したように、その断面における長軸Ａｍａ（長軸方向Ｄｍａ）が、ループ面Ｓと略直交（望ましくは直交）している。すなわち、この例では、ループ部４２ｃの断面における長軸Ａｍａ（長軸方向Ｄｍａ）が、いずれの領域においても略Ｚ軸方向（望ましくはＺ軸方向）を向いている。
【００４３】
［作用・効果］
（Ａ．基本動作）
この電極カテーテル１では、不整脈等の検査や治療の際に、カテーテル本体２１およびカテーテル先端部２２が、血管を通して患者の体内に挿入される。このとき、操作者による操作部３２の操作に応じて、体内に挿入されたカテーテル本体２１の先端付近の形状が変化する。
【００４４】
具体的には、例えば、操作者が把持部３１を片手で掴み、その片手の指で操作部３２を操作することにより、この操作部３２を図１中のｄ１方向（基端側）にスライドさせた場合、以下のようになる。すなわち、カテーテル本体２１内で、操作用ワイヤ４０が基端側（ハンドル３内の前述した留め具側）へと引っ張られる。すると、このカテーテル本体２１の先端付近が、図１中の矢印ｄ２で示した方向に沿って湾曲する（撓む）。
【００４５】
このように、操作者が操作部３２を操作（スライド操作）することにより、カテーテル本体２１の首振り偏向動作を行うことができる。なお、把持部３１をその軸回りに（図１中のＸＹ平面内で）回転させることで、カテーテル本体２１が患者の体内に挿入された状態のまま、カテーテル本体２１の先端付近の湾曲方向の向きを自由に設定することができる。
【００４６】
ここで、例えば不整脈等の検査に用いられる場合、患者の体内に挿入されたカテーテル先端部２２の電極（リング状電極２２１および先端電極２２２）を用いて、心電位が測定される。そして、この心電位の情報を基に、検査部位における不整脈等の有無や程度に関する検査が行われる。
【００４７】
一方、例えば不整脈等の治療に用いられる場合、患者の体表に装着された対極板（図示せず）と、患者の体内に挿入された電極カテーテル１の電極との間で、高周波（ＲＦ；Radio Frequency）通電がなされる。このような高周波通電によって、治療対象の部位（血管等）が選択的に焼灼（アブレーション）され、不整脈等の経皮的治療がなされる。
【００４８】
（Ｂ．カテーテル先端部２２での電位測定の詳細）
ここで、このような電極カテーテル１において、カテーテル先端部２２における複数の電極（リング状電極２２１および先端電極２２２）を利用した電位測定について、詳細に説明する。
【００４９】
すなわち、まず、例えば図８に示したように、例えば大腿動脈のような主要な動脈または静脈等の血管９内に、電極カテーテル１がカテーテル先端部２２側から挿入される。そして、電位の測定部位（例えば心臓の肺静脈等）に向けて、カテーテル先端部２２側から血管９内を前進するよう（図８中の矢印Ｄ１参照）、電極カテーテル１が操作される（押し込まれる，ねじ込まれる）。
【００５０】
次いで、電位の測定部位に到達後、カテーテル先端部２２のループ径Ｒを随時変化（例えば拡大）させることで（図８中の矢印Ｄ２参照）、例えば図９に示したように、その測定部位の内壁（内周面）に、各リング状電極２２１および先端電極２２２をそれぞれ、当接または近接させる。そして、この状態にて、複数のリング状電極２２１および先端電極２２２をそれぞれ用いて、測定部位における電位（心電位）が測定される。
【００５１】
このようにして電極カテーテル１では、複数のリング状電極２２１および先端電極２２２を有するカテーテル先端部２２がループ状に形成されていることにより、血管９の内周部分において、周方向に沿った複数個所の電位を一括して（同時に）測定することが可能となる。
【００５２】
（Ｃ．コアワイヤ４２の作用）
（Ｃ−１．比較例）
ところで、このようなループ状のカテーテル先端部２２を利用して血管９の内周部分の電位を測定する場合、カテーテル先端部２２が血管９内に挿入された際に、ループ状部分での軸方向（カテーテル本体２１の軸方向）に沿った位置ずれ（変位）が生じるおそれがある。
【００５３】
具体的には、例えば図１０に示した比較例に係るコアワイヤ１０４のように、コアワイヤ１０４の断面（特に直線部４２ａおよび中継部４２ｂの断面）が等方性形状（この例では円形状）である場合（図１０中の符号Ｐ１０１参照）、以下のようになる。すなわち、このような断面形状のコアワイヤ１０４を内包するカテーテル先端部２２が血管９内に挿入されると、このコアワイヤ１０４におけるループ部４２ｃが、カテーテル本体２１の軸方向（この例ではＺ軸方向）に沿って変位（変動）してしまうおそれがある（図１０中の符号ｍ参照）。そして、その場合、上記したように、カテーテル先端部２２のループ状部分において、この軸方向に沿った位置ずれが発生してしまうことになる。言い換えると、カテーテル先端部２２のループ状部分が、略円形状から螺旋形状の方向へ変形してしまう。
【００５４】
このように、カテーテル先端部２２のループ状部分において軸方向の位置ずれが発生すると、上記した血管９内での複数個所の電位の測定位置にもずれが生じ、正確な電位測定に支障をきたすことになる。つまり、血管９の内周部分において、周方向ではなく螺旋状に沿って複数個所の電位が測定されてしまうため、意図した複数箇所（周方向に沿った複数個所）での測定結果を得るのが困難となってしまうと言える。
【００５５】
（Ｃ−２．本実施の形態）
これに対して本実施の形態のコアワイヤ４２では、図５〜図７に示したように、直線部４２ａおよび中継部４２ｂにおいてそれぞれ、それらの断面の異方性形状（この例では略矩形状）における長軸Ａｍａの延在面Ｓｍａが、平面となっている。また、このコアワイヤ４２では特に、直線部４２ａから中継部４２ｂに亘って、この長軸Ａｍａの延在面Ｓｍａが略単一の平面（この例では単一の平面）となっている。言い換えると、コアワイヤ４２における直線部４２ａから中継部４２ｂへと至る領域において、略矩形状の断面が、前述した非ねじれ形状となっている。
【００５６】
これにより、コアワイヤの断面が、例えば、上記比較例のように等方性形状（円形状等）である場合や、逆に、異方性形状における短軸Ａｍｉの延在面が平面となっている場合等と比べ、以下のようになる。すなわち、コアワイヤ４２のループ部４２ｃが、カテーテル本体２１（コアワイヤ４２の直線部４２ａ）の軸方向（この例ではＺ軸方向）に沿って変位しにくくなる（望ましくは変位しなくなる）。言い換えると、カテーテル先端部２２のループ状部分が、略円形状から螺旋形状の方向へ変形しにくくなる（望ましくは変形しなくなる）。したがって、この電極カテーテル１では、カテーテル先端部２２のループ状部分における軸方向に沿った位置ずれが抑えられる結果、上記比較例等と比べ、意図した複数箇所（周方向に沿った複数個所）での測定結果を得るのが容易になると言える。
【００５７】
また、このコアワイヤ４２では、図５および図６に示したように、ループ部４２ｃも異方性形状（この例では略矩形状）からなる断面となっていると共に、その断面における長軸Ａｍａ（長軸方向Ｄｍａ）が、ループ面Ｓと略直交（望ましくは直交）している。これにより、カテーテル先端部２２が血管９内に挿入された際に、ループ部４２ｃにおけるループ径Ｒが変化し易くなる（ループ径Ｒの収縮変化が容易となる）。その結果、血管９の内周部分において、周方向に沿った複数個所の電位が測定し易くなる。
【００５８】
更に、このコアワイヤ４２では、図７に示したように、コアワイヤ４２の断面における異方性形状が略矩形状であるため、このコアワイヤ４２におけるループ部４２ｃが、カテーテル本体２１の軸方向（Ｚ軸方向）に沿って更に変位しにくくなる。その結果、カテーテル先端部２２のループ状部分における軸方向に沿った位置ずれが、更に抑えられる。
【００５９】
加えて、この図７に示したように、コアワイヤ４２の断面では、略矩形状における角部が面取りされている。これにより、このコアワイヤ４２の周囲の部材（導線４１等）への悪影響（この角部に起因した導線４１の損傷等）が、回避され易くなる（望ましくは回避される）。
【００６０】
以上のように本実施の形態では、コアワイヤ４２における直線部４２ａおよび中継部４２ｂにおいてそれぞれ、その断面の異方性形状における長軸Ａｍａの延在面Ｓｍａを平面としたので、コアワイヤ４２におけるループ部４２ｃを、カテーテル本体２１の軸方向に沿って変位しにくくすることができる。よって、カテーテル先端部２２のループ状部分における軸方向に沿った位置ずれを抑えることが可能となる。
【００６１】
また、特に本実施の形態では、直線部４２ａから中継部４２ｂに亘って、この長軸Ａｍａの延在面Ｓｍａが略単一の平面（単一の平面）となっているようにしたので、コアワイヤ４２におけるループ部４２ｃを、カテーテル本体２１の軸方向に沿って更に変位しにくくすることができる。よって、カテーテル先端部２２のループ状部分における軸方向に沿った位置ずれを、更に抑えることが可能となる。
【００６２】
また、このような位置ずれが抑えられる結果、カテーテル先端部２２を利用した血管９内における複数個所の電位の測定位置のずれも抑えることができ、電位測定の精度を向上させることが可能となる。加えて、電極カテーテル１の使用時における操作性も向上し、利便性を高めることが可能となる。
【００６３】
＜変形例＞
続いて、本発明の変形例（変形例１，２）について説明する。なお、上記実施の形態における構成要素と同一のものには同一の符号を付し、適宜説明を省略する。
【００６４】
図１１Ａおよび図１１Ｂは、変形例１，２に係るコアワイヤ４２の断面構成例（コアワイヤ４２の延在方向に対する直交面における断面構成例）を、拡大して模式的に表したものである。
【００６５】
［変形例１］
具体的には、図１１Ａは、変形例１に係るコアワイヤ４２（直線部４２ａ、中継部４２ｂおよびループ部４２ｃ）の断面構成例を拡大して模式的に表したものである。
【００６６】
この変形例１のコアワイヤ４２は、図７に示した実施の形態のコアワイヤ４２において、角部（この例では四隅）が面取りされていないものとなっている。つまり、本変形例のコアワイヤ４２では、その断面における異方性形状が、角部を有する矩形状となっている。
【００６７】
このような構成の本変形例においても、基本的には上記実施の形態と同様の作用により、同様の効果を得ることが可能である。
【００６８】
［変形例２］
また、図１１Ｂは、変形例２に係るコアワイヤ４２（直線部４２ａ、中継部４２ｂおよびループ部４２ｃ）の断面構成例を拡大して模式的に表したものである。
【００６９】
この変形例２のコアワイヤ４２は、実施の形態および変形例１のコアワイヤ４２とは異なり、その断面における異方性形状が、長軸Ａｍａおよび短軸Ａｍｉを有する楕円形状となっている。
【００７０】
このような構成の本変形例においても、基本的には上記実施の形態と同様の作用により、同様の効果を得ることが可能である。
【００７１】
また、特に本変形例では、コアワイヤ４２の断面における異方性形状を楕円形状（角部を有しない異方性形状）としたので、この場合も前述したように、コアワイヤ４２の周囲の部材への悪影響を回避され易くすることが可能となる（望ましくは回避することが可能となる）。
【００７２】
なお、コアワイヤ４２の断面における異方性形状としては、このような略矩形状、矩形状および楕円形状には限られず、他の異方性形状であってもよい。
【００７３】
＜その他の変形例＞
以上、実施の形態および変形例を挙げて本発明を説明したが、本発明はこれらの実施の形態等に限定されず、種々の変形が可能である。
【００７４】
例えば、上記実施の形態等において説明した各部材の形状や配置位置、材料等は限定されるものではなく、他の形状や配置位置、材料等としてもよい。
【００７５】
また、上記実施の形態では、チューブ状部材（カテーテル本体２１およびカテーテル先端部２２）の構成を具体的に挙げて説明したが、必ずしも全ての部材を備える必要はなく、また、他の部材を更に備えていてもよい。具体的には、例えばカテーテル本体２１の内部に、首振り部材として、撓み方向に変形可能な板バネが設けられているようにしてもよい。また、カテーテル先端部２２における電極の構成（リング状電極２２１および先端電極２２２の配置や形状、個数等）は、上記実施の形態等で挙げたものには限られない。更に、例えば、カテーテル先端部２２におけるループ状部分のループ径Ｒを変化（縮小）させる操作の際に用いられる収縮ワイヤ（図示せず）が、カテーテル先端部２２内からカテーテル本体２１内を経由してハンドル３内へと、更に挿通されているようにしてもよい。
【００７６】
また、カテーテル先端部２２の形状の態様は、上記実施の形態等で説明したものには限られない。具体的には、例えば、カテーテル先端部２２におけるループ状部分により形成されるループ面Ｓが、カテーテル本体２１の延在方向に対して直交以外の非平行となっているようにしてもよい。また、例えば、このループ状部分の形状（ループ形状）が、上記実施の形態で説明した略円形状ではなく、略楕円形状となっていてもよい。
【００７７】
加えて、コアワイヤ４２の形状や配置等についても、上記実施の形態等で説明したものには限られない。具体的には、例えば、直線部４２ａから中継部４２ｂに亘って、長軸Ａｍａの延在面Ｓｍａが、必ずしも略単一の平面（単一の平面）となってなくてもよい。すなわち、例えば、直線部４２における長軸Ａｍａの延在面Ｓｍａと、中継部４２ｂにおける長軸Ａｍａの延在面Ｓｍａとが、それぞれ個別の平面となっていて、それらの平面同士が多少の角度（０度よりも大きい微小の角度）を持って交わる態様となっていてもよい。また、コアワイヤ４２におけるループ部４２ｃの断面については、場合によっては、上記実施の形態等で説明した異方性形状でなくてもよい（例えば、円形状等の等方性形状であってもよい）。更に、例えば、コアワイヤ４２が、カテーテル先端部２２のループ状部分内において、その内周側（複数の導線４１よりも内周側）に配置されていなくともよい（例えば中央付近や外周側に配置されていてもよい）。
【００７８】
更に、カテーテル本体２１における先端付近の形状の態様についても、上記実施の形態等で説明したものには限られない。具体的には、上記実施の形態等では、カテーテル本体２１における先端付近の形状が操作部３２の操作に応じて片方向に変化するタイプ（シングルディレクションタイプ）の電極カテーテルを例に挙げて説明したが、これには限られない。すなわち、本発明は、例えば、カテーテル本体２１における先端付近の形状が操作部３２の操作に応じて両方向に変化するタイプ（バイディレクションタイプ）の電極カテーテルにも適用することが可能である。この場合、操作用ワイヤおよびその留め具をそれぞれ、２本（２つ）設けることとなる。
【００７９】
加えて、本発明に係る電極カテーテルは、不整脈等の検査用の電極カテーテル（いわゆるＥＰカテーテル）、および不整脈等の治療用の電極カテーテル（いわゆるアブレーションカテーテル）のいずれにも適用することが可能である。
【符号の説明】
【００８０】
１…電極カテーテル、２１…カテーテル本体、２２…カテーテル先端部、２２０…絶縁性チューブ、２２１…リング状電極、２２２…先端電極、３…ハンドル、３１…把持部、３２…操作部、４０…操作用ワイヤ、４１…導線、４２…コアワイヤ、４２ａ…直線部、４２ｂ…中継部、４２ｃ…ループ部、９…血管、Ｓ…ループ面、Ｒ…ループ径、Ｓｍａ…延在面、Ａｍａ…長軸、Ａｍｉ…短軸、Ｄｍａ…長軸方向、Ｄｍｉ…短軸方向。
【図１】
2016093226.tif 000003
【図２】
2016093226.tif 000004
【図３】
2016093226.tif 000005
【図４】
2016093226.tif 000006
【図５】
2016093226.tif 000007
【図６】
2016093226.tif 000008
【図７】
2016093226.tif 000009
【図８】
2016093226.tif 000010
【図９】
2016093226.tif 000011
【図１０】
2016093226.tif 000012
【図１１Ａ】
2016093226.tif 000013
【図１１Ｂ】
2016093226.tif 000014